(57)【要約】【課題】互いに密着した２枚の板状体を剥離して離間させる剥離装置および剥離方法において、良好な剥離の進行を阻害する板状体間の局所的な剥離を防止する。【解決手段】パターンを介して基板ＳＢおよびブランケットＢＬが密着してなる積層体が載置されるステージ３１０の水平面部３１１に、ブランケットＢＬの周縁部を吸着保持するための真空吸着溝３１４が設けられるとともに、該真空吸着溝３１４よりも内側に、有効なパターンが形成された積層体の有効領域ＡＲを取り囲む環状溝３１３が設けられる。環状溝３１３は外部空間に連通して大気解放されており、真空吸着溝３１４に供給される負圧が有効領域ＡＲに伝搬してブランケットＢＬを基板ＳＢから剥離させることが防止される。【選択図】図４
2014185022.tif 000002
【特許請求の範囲】
【請求項１】
薄膜またはパターンを介して互いに密着した第１板状体と第２板状体とを剥離させる剥離装置において、
前記第１板状体の表面のうち前記第２板状体と密着した一方主面とは反対側の他方主面を吸着して前記第１板状体を保持する第１保持手段と、
前記第２板状体の表面のうち前記第１板状体と密着した面と異なる面を保持する第２保持手段と、
前記第１板状体を保持する前記第１保持手段と前記第２板状体を保持する第２保持手段とを互いに離間する方向に相対移動させる移動手段と
を備え、
前記第１保持手段は、平面サイズが前記第１板状体の前記一方主面中央部の前記薄膜またはパターンが形成された有効領域よりも大きく前記第１板状体の前記他方主面に当接する当接平面を有し、該当接平面に、前記有効領域の平面サイズより大きい領域を取り囲む環状に形成された負圧遮断用凹部と、前記負圧遮断用凹部の外側に配置されるとともに負圧が供給されて前記第１板状体の前記他方主面を吸着する吸着用凹部とが設けられ、
前記負圧遮断用凹部は、前記当接平面に当接する前記第１板状体の前記他方主面と前記負圧遮断用凹部の壁面とで取り囲まれた間隙空間に気体を流入させる気体流入部と連通する
ことを特徴とする剥離装置。
【請求項２】
前記気体流入部は、前記間隙空間内の気圧を、前記第１板状体の前記一方主面側の気圧と等しくまたは略等しくする請求項１に記載の剥離装置。
【請求項３】
前記間隙空間内の気圧が大気圧と等しいまたは略等しい請求項２に記載の剥離装置。
【請求項４】
前記気体流入部は、前記間隙空間を外部空間と連通させて外部空間からの空気を前記間隙空間に流入させる請求項３に記載の剥離装置。
【請求項５】
薄膜またはパターンを介して互いに密着した第１板状体と第２板状体とを剥離させる剥離方法において、
前記第１板状体の表面のうち前記第２板状体と密着した一方主面とは反対側の他方主面を、前記第１板状体の主面のうち前記薄膜またはパターンが形成された有効領域の平面サイズよりも大きい平面サイズを有し、前記有効領域の平面サイズよりも大きい領域を取り囲む環状に形成された負圧遮断用凹部と、前記負圧遮断用凹部の外側に配置された吸着用凹部とを設けた当接平面に当接させ、前記吸着用凹部に負圧を供給して吸着保持する工程と、
前記第２板状体の表面のうち前記第１板状体と密着した面と異なる面を保持しながら、前記第１板状体と前記第２板状体とを離間させる工程と
を備え、
前記負圧遮断用凹部に気体を流入させることにより、前記吸着用凹部から前記負圧遮断用凹部よりも内側の領域への負圧の伝搬を遮断する
ことを特徴とする剥離方法。
【請求項６】
前記当接平面に当接する前記第１板状体の前記他方主面と前記負圧遮断用凹部の壁面とで取り囲まれた間隙空間内の気圧を、前記第１板状体の前記一方主面側の気圧と等しくまたは略等しくする請求項５に記載の剥離方法。
【請求項７】
前記吸着用凹部への前記負圧の供給開始よりも前に、前記負圧遮断用凹部への気体の流入経路を形成する請求項５または６に記載の剥離方法。
【発明の詳細な説明】
【技術分野】
【０００１】
この発明は、互いに密着した２枚の板状体を剥離して離間させる剥離装置および剥離方法に関するものである。
【背景技術】
【０００２】
ガラス基板や半導体基板などの板状体に所定のパターンや薄膜を形成する技術として、他の板状体に担持されたパターンや薄膜（以下、「パターン等」という）を基板に転写するものがある。この技術においては、２枚の板状体を密着させてパターン等を一方から他方に転写した後、パターン等を損壊させることなく２枚の板状体を剥離する必要がある。
【０００３】
この目的のために利用可能な技術として、例えば特許文献１には、有機層を介して互いに密着された素子形成用基板と転写用基板とを剥離するための装置が記載されている。この技術では、貼り合わせた２枚の基板を水平姿勢に保持し、上下基板それぞれを真空吸着した状態で離間方向に移動させている。上下基板は、分散配置された複数の吸着パッドによりそれぞれ吸着保持される。
【先行技術文献】
【特許文献】
【０００４】
【特許文献１】特開２００８−２８７９４９号公報（例えば図６）
【発明の概要】
【発明が解決しようとする課題】
【０００５】
この種の転写技術は種々のデバイス製造プロセスに適用されるようになってきているが、パターン等を形成する材料の多様化やパターンの微細化、基板の大型化等に伴って、剥離プロセスにおいてより緻密な進行管理が必要となってきている。すなわち、局所的な応力集中に起因するパターン等の損壊を防止するために、剥離の進行が適切に管理される必要がある。
【０００６】
しかしながら、上記従来技術では、上下基板がそれぞれ吸着パッドにより局所的に吸着されているため、当該吸着部位において局所的に基板間の剥離が発生してしまうなど、適切な管理下で剥離を進行させることができない場合があった。特に、パターン等が形成された領域で基板に吸着パッドを当接させたとき、当該領域で強い剥離力が集中的に作用してパターン等を損壊させるおそれがある。
【０００７】
このように、剥離の進行を適切に管理するためには２枚の板状体が密着してなる積層体をどのように保持して剥離を行うかが重要となってくるが、従来の技術ではこの点が十分に考慮されているとは言えなかった。
【０００８】
この発明は上記課題に鑑みなされたものであり、互いに密着した２枚の板状体を剥離して離間させる剥離装置および剥離方法において、良好な剥離の進行を阻害する板状体間の局所的な剥離を防止することのできる技術を提供することを目的とする。
【課題を解決するための手段】
【０００９】
この発明の一の態様は、薄膜またはパターンを介して互いに密着した第１板状体と第２板状体とを剥離させる剥離装置において、上記目的を達成するため、前記第１板状体の表面のうち前記第２板状体と密着した一方主面とは反対側の他方主面を吸着して前記第１板状体を保持する第１保持手段と、前記第２板状体の表面のうち前記第１板状体と密着した面と異なる面を保持する第２保持手段と、前記第１板状体を保持する前記第１保持手段と前記第２板状体を保持する第２保持手段とを互いに離間する方向に相対移動させる移動手段とを備え、前記第１保持手段は、平面サイズが前記第１板状体の前記一方主面中央部の前記薄膜またはパターンが形成された有効領域よりも大きく前記第１板状体の前記他方主面に当接する当接平面を有し、該当接平面に、前記有効領域の平面サイズより大きい領域を取り囲む環状に形成された負圧遮断用凹部と、前記負圧遮断用凹部の外側に配置されるとともに負圧が供給されて前記第１板状体の前記他方主面を吸着する吸着用凹部とが設けられ、前記負圧遮断用凹部は、前記当接平面に当接する前記第１板状体の前記他方主面と前記負圧遮断用凹部の壁面とで取り囲まれた間隙空間に気体を流入させる気体流入部と連通することを特徴としている。
【００１０】
また、この発明の他の態様は、薄膜またはパターンを介して互いに密着した第１板状体と第２板状体とを剥離させる剥離方法において、上記目的を達成するため、前記第１板状体の表面のうち前記第２板状体と密着した一方主面とは反対側の他方主面を、前記第１板状体の主面のうち前記薄膜またはパターンが形成された有効領域の平面サイズよりも大きい平面サイズを有し、前記有効領域の平面サイズよりも大きい領域を取り囲む環状に形成された負圧遮断用凹部と、前記負圧遮断用凹部の外側に配置された吸着用凹部とを設けた当接平面に当接させ、前記吸着用凹部に負圧を供給して吸着保持する工程と、前記第２板状体の表面のうち前記第１板状体と密着した面と異なる面を保持しながら、前記第１板状体と前記第２板状体とを離間させる工程とを備え、前記負圧遮断用凹部に気体を流入させることにより、前記吸着用凹部から前記負圧遮断用凹部よりも内側の領域への負圧の伝搬を遮断することを特徴としている。
【００１１】
このように構成された発明では、第１板状体のうち薄膜またはパターン（以下、「パターン等」という）が形成された有効領域よりも外側において第１板状体を吸着することで、有効領域内が局所的に吸着されることに起因するパターン等の損壊が防止される。ただし、単に有効領域よりも外側で第１板状体を吸着するというだけでは、パターン等の損壊を確実に防止することが難しい。というのは、当接平面と第１板状体との隙間に吸着用凹部からの負圧が伝搬することで第１板状体が当接平面に吸着され、当接平面の僅かな凹凸に第１板状体が倣うことで第２板状体との間に局所的な剥離が発生する可能性があるからである。
【００１２】
そこで、この発明では、吸着用凹部よりも内側に、有効領域よりも大きい平面サイズの領域を取り囲む環状の負圧遮断用凹部を設け、該負圧遮断用凹部に外部からの気体を流入させることができるようにしている。これにより、負圧遮断用凹部により取り囲まれた内側領域には負圧が伝搬せず、有効領域内の第１板状体が当接平面の凹凸に倣うことが回避される。これらの構成により、本発明では、有効領域内において第１板状体と第２板状体とが局所的に剥離することが防止されて、適切な管理下での剥離を行うことができる。
【００１３】
この発明では、例えば、記当接平面に当接する第１板状体の他方主面と負圧遮断用凹部の壁面とで取り囲まれた間隙空間内の気圧を、第１板状体の一方主面側の気圧と等しくまたは略等しくするようにしてもよい。こうすることで、気圧差に起因して第１板状体が局所的に一方主面側または他方主面側に撓むのを防止することができ、第１板状体の撓みによる局所的な剥離をより確実に防止することができる。
【００１４】
例えば、間隙空間内の気圧を大気圧と等しくまたは略等しくするようにしてもよい。こうすることで、剥離プロセスが大気圧下で進行する場合に気圧差に起因する第１板状体の撓みを防止することが可能である。
【００１５】
この場合、例えば、間隙空間を外部空間と連通させて外部空間からの空気を間隙空間に流入させるようにしてもよい。このような構成では、吸着用凹部に供給される負圧の伝搬によって間隙空間から流出する空気を外部空間から補うことで、間隙空間を大気圧に維持して第１板状体の撓みを防止することができる。またそのためには単に間隙空間を外部空間と連通させればよく間隙空間に気体を能動的に送り込むための構成を特に必要としないので、装置構成を簡単にすることが可能である。
【００１６】
また例えば、これらの発明では、吸着用凹部への負圧の供給開始よりも前に、負圧遮断用凹部への気体の流入経路を形成することが好ましい。第１板状体と第２板状体との局所的な剥離がいったん発生すればパターン等の損壊は防止されないから、吸着用凹部へ負圧が供給開始されるよりも前に、該負圧を遮断するための気体の流入経路が確保されていることが望ましい。
【発明の効果】
【００１７】
この発明によれば、薄膜またはパターンが形成された有効領域よりも外側で第１板状体が吸着保持され、しかも、負圧が供給される吸着用凹部と有効領域との間が気体が流入可能な負圧遮断用凹部により遮断されているので、第１板状体と第２板状体との間で局所的に剥離が生じることが効果的に防止される。
【図面の簡単な説明】
【００１８】
【図１】この発明にかかる剥離装置の一実施形態を示す斜視図である。
【図２】この剥離装置の主要部を示す図である。
【図３】この剥離装置の電気的構成を示すブロック図である。
【図４】ステージとこれに載置される積層体との位置関係を示す図である。
【図５】剥離処理を示すフローチャートである。
【図６】処理中の各段階における各部の位置関係を示す第１の図である。
【図７】処理中の各段階における各部の位置関係を示す第２の図である。
【図８】環状溝および真空吸着溝の作用を説明するための図である。
【図９】剥離境界線と剥離速度との関係を示す図である。
【図１０】ステージの変形例を示す第１の図である。
【図１１】ステージの変形例を示す第２の図である。
【発明を実施するための形態】
【００１９】
図１はこの発明にかかる剥離装置の一実施形態を示す斜視図である。各図における方向を統一的に示すために、図１右下に示すようにＸＹＺ直交座標軸を設定する。ここでＸＹ平面が水平面、Ｚ軸が鉛直軸を表す。より詳しくは、（＋Ｚ）方向が鉛直上向き方向を表している。
【００２０】
この剥離装置１は、主面同士が互いに密着した状態で搬入される２枚の板状体を剥離させるための装置である。例えばガラス基板や半導体基板等の基板の表面に所定のパターンを形成するパターン形成プロセスの一部において用いられる。より具体的には、このパターン形成プロセスでは、被転写体である基板に転写すべきパターンを一時的に担持する担持体としてのブランケット表面にパターン形成材料を均一に塗布し（塗布工程）、パターン形状に応じて表面加工された版をブランケット上の塗布層に押し当てることによって塗布層をパターニングし（パターニング工程）、こうしてパターンが形成されたブランケットを基板に密着させることで（転写工程）、パターンをブランケットから基板に最終転写する。
【００２１】
このとき、パターニング工程において密着された版とブランケットとの間、または転写工程において密着された基板とブランケットとの間を離間させる目的のために、本装置を好適に適用することが可能である。もちろんこれらの両方に用いられてもよく、これ以外の用途で用いられても構わない。例えば担持体に担持された薄膜を基板に転写する際の剥離プロセスにも適用することができる。
【００２２】
この剥離装置１は、上部ユニット１０、中央ユニット３０および下部ユニット５０がそれぞれ筐体に据え付けられた構造を有している。図１では装置の内部構造を示すために筐体の図示を省略している。また、これらの各ユニットの他に、この剥離装置１は後述する制御ユニット７０（図３）を備えている。
【００２３】
上部ユニット１０では、筐体に固定される支持ベース１０１の上面に１対の支柱１０２，１０３がＹ方向に所定の間隔で並べて立設されており、これらの支柱の上部に梁部材１０４が架設されている。支柱１０２，１０３の（＋Ｘ）側側面には鉛直方向（Ｚ方向）に延びるガイドレール１０２ａ，１０３ａがそれぞれ取り付けられている。ガイドレール１０２ａ，１０３ａにはそれぞれスライダ１１１，１１２が鉛直方向に摺動自在に取り付けられており、これらのスライダ１１１，１１２はＹ方向に延設されるアーム支持プレート１１３の両端部にそれぞれ取り付けられている。
【００２４】
アーム支持プレート１１３の両端部には（＋Ｘ）方向に延びる１対のアーム１１４，１１５が取り付けられており、これらのアームに種々の処理ブロックを装着することができる。この実施形態では（＋Ｙ）側の１つのアーム１１５に処理ブロックとしての上部吸着ブロック１２０が装着されている。上部吸着ブロック１２０については後で説明する。
【００２５】
アーム支持プレート１１３の（−Ｘ）側側面にはプレート昇降機構１１６が設けられ、その上方の梁部材１０４に取り付けられたモータ１０５の回転軸と接続されている。モータ１０５の回転軸が回転すると、その回転運動がプレート昇降機構１１６に設けられた例えばボールねじ機構などの変換機構によって上下運動に変換され、これによりアーム支持プレート１１３がガイドレール１０２ａ，１０３ａに沿ってＺ方向に移動する。これに伴って、アーム１１５に取り付けられた上部吸着ブロック１２０もＺ方向に移動する。
【００２６】
次に中央ユニット３０の構成を説明する。中央ユニット３０では、筐体に固定される支持ベース３０１の上面略中央部にステージ３１０が設置されている。詳しくは後述するが、塗布層を介して版とブランケットとが密着してなる積層体、またはパターンを介して基板とブランケットとが密着してなる積層体が外部からこの剥離装置１に搬入されると、該積層体はステージ３１０の上面に載置される。ステージ３１０はその上に載置される積層体よりも大きな平面サイズを有している。
【００２７】
支持ベース３０１上においてステージ３１０の（＋Ｙ）側には、ステージ３１０の上面に載置された積層体の端部を下方へ屈曲させることで剥離を開始させる初期剥離ブロック３２０が取り付けられている。初期剥離ブロック３２０については後に詳述する。
【００２８】
下部ユニット５０では、筐体に固定される支持ベース５０１が中央ユニット３０の支持ベース３０１の下方にＹ方向に延設されており、その上面にガイドレール５１０が取り付けられている。ガイドレール５１０にはスライダ５１１が摺動自在に取り付けられており、スライダ５１１は押圧ローラブロック５２０を支持している。したがって押圧ローラブロック５２０はＹ方向に移動自在となっている。
【００２９】
押圧ローラブロック５２０は、中央ユニット３０のステージ３１０の上方でＸ方向に延設されたローラ５２１と、ステージ３１０の下方にＸ方向に延設された横架部およびその両端からステージ３１０の上面より上方まで突き出した立設部を有し該立設部でローラ５２１の両端を回転自在に保持するローラ保持部５２２と、図１では隠れているがローラ保持部５２２をＺ方向に移動させてローラ５２１の高さを変化させる昇降機構５２３（図３）とを備えている。
【００３０】
下部ユニット５０はさらにモータ５０２を備えており、モータ５０２の回転運動は図示しない変換機構によってＹ方向の直線運動に変換され、押圧ローラブロック５２０を駆動する。すなわち、押圧ローラブロック５２０は、モータ５０２の回転によって、ガイドレール５１０に沿ってＹ方向に移動する。
【００３１】
図２はこの剥離装置の主要部を示す図である。より詳しくは、図２（ａ）はステージ３１０の周辺構成の配置を示す斜視図であり、図２（ｂ）はそのＹ−Ｚ切断面を見た部分断面図である。図において破線矢印は各構成要素の可動方向を示している。
【００３２】
ステージ３１０には複数の溝が刻設されている。具体的には、最も内側に、ステージ３１０の中央部分を囲むように矩形環状の環状溝３１３が設けられている。そして、環状溝３１３の外側（±Ｘ）側、（±Ｙ）側の周囲に隣接して、概略矩形形状をした真空吸着溝３１４が設けられている。なお真空吸着溝３１４は環状でなくてもよく、例えば矩形の四辺のうち一部が独立したものであってもよい。
【００３３】
これらの各溝には、実行される処理に応じて適宜陽圧、負圧および大気圧のいずれかが個別に供給される。これにより、ステージ３１０に載置される物体の吸着および吸着の解除、さらに該物体の浮上が実現される。後述するように、この実施形態では主として、環状溝３１３が大気圧に解放された大気解放溝として機能する一方、真空吸着溝３１４には負圧が供給される。
【００３４】
図２（ｂ）からわかるように、ステージ３１０の上面は略水平の平面である水平面部３１１と、これに接続し所定の傾き角θを有する平面である傾斜面部３１２とで構成されている。水平面部３１１と傾斜面部３１２とが接する稜線部Ｅは、Ｘ方向に平行な直線状となっている。図では傾きが強調されているが、傾き角θとしては数度程度であり、例えば２度とすることができる。真空吸着溝３１４は水平面部３１１のうち稜線部Ｅの近傍に設けられている。
【００３５】
ステージ３１０の水平面部３１１の上方には、ステージ３１０下方から延びるローラ保持部５２２により回転自在に保持されたローラ５２１がＸ方向に延設配置されている。ローラ５２１は図示しない昇降機構によりＺ方向に移動可能であり、これによりステージ３１０に対して接近、離間移動する。また、モータ５０２（図１）の回転によってローラ５２１は押圧ローラブロック５２０と一体的にＹ方向へ移動する。ローラ５２１は駆動源を有しておらず自由回転する。
【００３６】
ステージ３１０の稜線部Ｅの上方には、上部吸着ブロック１２０（図１）の吸着機構が設けられる。該吸着機構は、Ｘ方向に延設されるヘッド部１２１と、該ヘッド部１２１にそれぞれ装着されてＸ方向に並べられた複数の吸着パッド１２２とを有している。吸着パッド１２２は例えばゴムなどの弾性材料により形成され、それぞれに負圧が供給されることで、物体を吸着することができる。ヘッド部１２１は上部吸着ブロック１２０の昇降機構１２３（図１）により昇降移動が可能となっており、これにより、各吸着パッド１２２が一体的に、ステージ３１０に対して接近、離間移動する。なお、図示を省略しているが、上部吸着ブロック１２０はさらに、ヘッド部１２１をＹ方向に移動させることで各吸着パッド１２２のＹ方向位置を調整するための位置調整機構を有している。
【００３７】
ステージ３１０の傾斜面部３１２の上方には、初期剥離ブロック３２０の押圧部材３２１が配置されている。より具体的には、初期剥離ブロック３２０は、傾斜面部３１２の上方でＸ方向に延設された押圧部材３２１を有しており、押圧部材３２１は支持アーム３２２により支持されている。押圧部材３２１は、１枚の板状体により略直方体形状に形成され、長手方向に垂直な断面において、その一方短辺に向けて幅が小さくなるテーパーが設けられるとともにその頂部に平坦な頂面が形成される。このような形状の押圧部材３２１がＸ方向を長手方向として、また頂面を下向きにして支持アーム３２２に支持される。押圧部材３２１はＸ方向の両端部がそれぞれステージ３１０の端部よりも外側まで延びており、したがってステージ３１０に載置される積層体のＸ方向端部よりも外側まで延設されている。
【００３８】
支持アーム３２２は、筺体に固定されたベースプレート３２５に立設された１対のガイドレール３２６，３２７に摺動自在に取り付けられた１対のスライダ３２３，３２４により支持されている。さらに、初期剥離ブロック３２０は例えばモータやシリンダ等の適宜の駆動源を有する駆動部３２８を備えており、駆動部３２８の駆動力は必要に応じ例えばボールねじ機構などの変換機構によりＺ方向の直線運動に変換されて支持アーム３２２に伝達される。したがって、駆動部３２８が作動すると支持アーム３２２がＺ方向に昇降移動し、これと一体的に押圧部材３２１が昇降してステージ３１０に対して接近、離間移動する。なお、図示を省略しているが、初期剥離ブロック３２０はさらに、ベースプレート３２５上でガイドレール３２６，３２７をＹ方向に移動させることで押圧部材３２１のＹ方向位置を調整するための位置調整機構を有している。
【００３９】
図３はこの剥離装置の電気的構成を示すブロック図である。装置各部は制御ユニット７０により制御される。制御ユニット７０は、装置全体の動作を司るＣＰＵ７０１と、各部に設けられたモータ類を制御するモータ制御部７０２と、各部に設けられたバルブ類を制御するバルブ制御部７０３と、各部に供給する負圧を発生する負圧供給部７０４と、ユーザからの操作入力を受け付けたり装置の状態をユーザに報知するためのユーザインタフェース（ＵＩ）部７０５とを備えている。なお、工場用力など外部から供給される負圧を利用可能である場合には制御ユニット７０が負圧供給部を備えていなくてもよい。
【００４０】
モータ制御部７０２は、上部ユニット１０に設けられたモータ１０５、上部吸着ユニット１２０に設けられた昇降機構１２３、中央ユニット３０の初期剥離ブロック３２０に設けられた駆動部３２８、下部ユニット５０に設けられたモータ５０２および昇降機構５２３などを制御する。バルブ制御部７０３は、負圧供給部７０４から吸着パッド１２２につながる配管経路上に設けられて吸着パッド１２２に所定の負圧を供給するためのバルブ群Ｖ10、負圧供給部７０４からステージ３１０に設けられた真空吸着溝につながる配管経路上に設けられて真空吸着溝３１４に所定の負圧を供給するためのバルブ群Ｖ30などを制御する。
【００４１】
図４はステージとこれに載置される積層体との位置関係を示す図である。より具体的には、図４（ａ）はステージ３１０に載置される積層体の位置を示す平面図であり、図４（ｂ）はステージ３１０に積層体が載置された状態を表す部分側面図である。ここでは、最終的にパターンが転写されるべき基板ＳＢと、該基板ＳＢに転写すべきパターンを一時的に担持するブランケットＢＬとが重ね合わされてなる積層体がステージ３１０に載置される場合を例として説明するが、ブランケットＢＬをパターニングする版とブランケットＢＬとの積層体の場合でも同様に考えることができる。この場合、以下の説明において「基板」を「版」に読み替えればよい。
【００４２】
パターンを介して基板ＳＢとブランケットＢＬとが密着してなる積層体においては、ブランケットＢＬが基板ＳＢより大きな平面サイズを有している。このため、基板ＳＢではその全面がブランケットＢＬに対向しているのに対して、ブランケットＢＬはその中央部分が基板ＳＢと対向しているが、周縁部は基板ＳＢと対向しない余白部分となっている。基板ＳＢの表面領域のうち周縁部を除く中央部分に、パターンが有効に転写されてデバイスとして機能する有効領域ＡＲが設定される。したがって、この剥離装置１の目的は、ブランケットＢＬから基板ＳＢの有効領域ＡＲに転写されたパターンを損傷させることなく、基板ＳＢからブランケットＢＬを剥離させることである。
【００４３】
図４（ａ）に示すように、基板ＳＢの有効領域ＡＲの全体がステージ３１０の水平面部３１１に位置するように、積層体はステージ３１０に載置される。このときに環状溝３１３が有効領域ＡＲを完全に取り囲むように、予め環状溝３１３の配置が決定されている。一方、ステージ３１０の水平面部３１１に環状溝３１３を取り囲むように設けられた真空吸着溝３１４は、ブランケットＢＬがステージ３１０に載置されたときブランケットＢＬによって塞がれる位置に設けられている。
【００４４】
基板ＳＢの（＋Ｙ）側端部は、ステージ３１０の稜線部Ｅより僅かに（＋Ｙ）側へ突出した位置に配置される。一方、ブランケットＢＬの（＋Ｙ）側端部は、ステージ３１０の稜線部Ｅから大きくせり出して傾斜面部３１２の上方にまで広がる。このため、この部分ではブランケットＢＬの下面はステージ３１０に当接しておらず、ブランケットＢＬと傾斜面部３１２との間には隙間が空いている。
【００４５】
吸着パッド１２２は、基板ＳＢの（＋Ｙ）側端部の直上で、かつステージ３１０に設けられた真空吸着溝３１４よりも（＋Ｙ）側の位置となるように、そのＹ方向位置が予め調整されている。一方、押圧部材３２１は、傾斜面部３１２に突出したブランケットＢＬ端部の上方に位置している。このように基板ＳＢとブランケットＢＬとの積層体がステージ３１０に載置された状態でＣＰＵ７０１の制御指令に応じて各部が動作することで、基板ＳＢとブランケットＢＬとの剥離が行われる。
【００４６】
図５は剥離処理を示すフローチャートである。また、図６および図７は処理中の各段階における各部の位置関係を示す図であり、処理の進行状況を模式的に表したものである。この剥離処理は、ＣＰＵ７０１が予め記憶された処理プログラムを実行して各部を制御することによりなされる。
【００４７】
オペレータまたは外部の搬送ロボット等によって積層体が搬入されステージ３１０上の上記位置に配置されると（ステップＳ１０１）、ステージ３１０の真空吸着溝３１４に負圧が供給されて、積層体がステージ３１０により吸着保持される（ステップＳ１０２）。続いて、装置各部が剥離を実行するための初期位置に配置される（ステップＳ１０３）。図６（ａ）は各部の初期位置を示している。同図に示すように、ヘッド部１２１が降下されて各吸着パッド１２２の下面が基板ＳＢの端部上面に当接するが、この時点では吸着パッド１２２には負圧が供給されておらず単に機械的に基板ＳＢの上面に押し当てられているだけである。また、押圧部材３２１はブランケットＢＬの端部付近で、かつその上面からは上方に離間した位置に配置される。さらに、ローラ５２１は、基板ＳＢの有効領域ＡＲよりも（＋Ｙ）側で、かつ真空吸着溝３１４の位置よりも（−Ｙ）側の位置で、基板ＳＢの上面に当接される。
【００４８】
次に、この状態で押圧部材３２１を降下させ（ステップＳ１０４）、押圧部材３２１の下端（頂面）をブランケットＢＬに当接させつつさらに降下させる。このとき、図６（ｂ）に示すように、ブランケットＢＬの（＋Ｙ）側端部が押圧部材３２１の頂面によって下方へ押し遣られて下向きに屈曲する。稜線部Ｅよりも（−Ｙ）側、つまり図において左側では、ブランケットＢＬの下面はステージ３１０の水平面部３１１に吸着保持されているためブランケットＢＬの変形が規制される。したがって、ブランケットＢＬの屈曲が発生する箇所は、稜線部Ｅよりも（＋Ｙ）側、つまり図において右側に限定される。特に稜線部Ｅの近傍に応力が集中するため、この部分で屈曲が起きやすくなっている。
【００４９】
Ｘ方向に延設された押圧部材３２１は、Ｘ方向において一様にブランケットＢＬを押圧する。つまり、Ｘ方向位置によらず押圧力が一定である。このため、ブランケットＢＬの曲がり方はＸ方向において一様となる。すなわち、ブランケットＢＬはＸ方向に平行な軸を有する柱面状に屈曲する。また、ステージ３１０の稜線部ＥもＸ方向となっているのでその傾向はより顕著である。
【００５０】
一方、基板ＳＢはブランケットＢＬよりも剛性の高い材料により形成されており、変形はブランケットＢＬよりも限定的である。つまり、基板ＳＢの（＋Ｙ）側端部はブランケットＢＬの下方への屈曲に追従せず、自身の剛性により元の水平姿勢に戻ろうとする。このため、下向きに屈曲するブランケットＢＬと水平姿勢を維持しようとする基板ＳＢとの間に隙間が生じ、部分的な剥離が開始される。つまり、押圧部材３２１がブランケットＢＬを押圧することが、基板ＳＢとの分離のきっかけとなっている。基板ＳＢがブランケットＢＬとともに下方へ屈曲するのを防止するために、ブランケットＢＬは適度の柔軟性を備えるとともに基板ＳＢはより高剛性である必要がある。また、吸着パッド１２２は、押圧部材３２１によるブランケットＢＬの押圧に伴う基板ＳＢの変形に追従できる、つまり基板ＳＢが一時的に撓んだ場合でも当接状態が解除されないだけの伸縮性を備えている必要がある。
【００５１】
ここではブランケットＢＬと基板ＳＢとが密着した未剥離の領域を密着領域、既に剥離して両者に隙間ができている領域を剥離領域と称し、さらに密着領域と剥離領域との境界がなす線を剥離境界線と称し符号ＰＬにより表す。ブランケットＢＬがＸ方向の軸を有する柱面状に屈曲することから、剥離境界線ＰＬはＸ方向に沿った単一の直線状となる。
【００５２】
図６（ｃ）は図６（ｂ）の状態における基板ＳＢとブランケットＢＬとを上方から見た図であり、斜線を付した領域Ｒ１、Ｒ２およびＲ３はそれぞれ、ブランケットＢＬにおいて押圧部材３２１と当接する領域、ブランケットＢＬにおいて真空吸着溝３１４に供給される負圧により吸着される領域、および基板ＳＢにおいてローラ５２１と当接する領域を示している。同図に示すように、剥離が始まった初期段階では、ブランケットＢＬの中央側（図において左側）から（＋Ｙ）側に向かって、有効領域ＡＲの（＋Ｙ）側端部、ローラ５２１との当接領域Ｒ３、吸着される領域Ｒ２、剥離境界線ＰＬ、基板ＳＢの（＋Ｙ）側端部、押圧部材３２１との当接領域Ｒ１がこの順番に並ぶ。
【００５３】
ローラ５２１と基板ＳＢとの当接領域Ｒ３およびブランケットＢＬが吸着される領域Ｒ２よりも外側（図において右側）でブランケットＢＬが押圧されることで、ブランケットＢＬの変形が有効領域ＡＲにまで及ぶことが防止される。また、ローラ５２１の当接位置が有効領域ＡＲよりも外側となっていることで、有効領域ＡＲ内のパターンにローラ５２１からの局所的な押圧力が加わることが回避される。
【００５４】
図５に戻って、こうして押圧部材３２１の押し当てによりブランケットＢＬが下方へ屈曲する一方で基板ＳＢが水平状態に戻ることで剥離境界線ＰＬが形成されると、続いて基板ＳＢの上面に当接している吸着パッド１２２に負圧を供給して基板ＳＢを吸着保持させ、吸着パッド１２２の上昇を開始させる（ステップＳ１０５）。吸着パッド１２２の上昇と同期してローラ５２１を基板ＳＢ上面に当接させたまま、剥離済みの領域とは反対方向、つまり（−Ｙ）方向へ移動させる（ステップＳ１０６）。吸着パッド１２２の上昇速度およびローラ５２１の移動速度はいずれも一定速度である。
【００５５】
図７（ａ）に示すように、吸着パッド１２２を上昇させると、吸着パッド１２２に吸着された基板ＳＢの端部が持ち上げられ、ブランケットＢＬからの剥離が進む。つまり剥離境界線が（−Ｙ）方向（図において左方向）に進行する。ローラ５２１を基板ＳＢの上面に当接させることで、剥離境界線の進行はローラ５２１との当接位置までに限定される。ローラ５２１はＸ方向に延設されているから、剥離境界線もＸ方向に延びる直線状となっている。この実施形態では複数（図２では６個）の吸着パッド１２２をＸ方向に並設することで、高い吸着保持力を得ている。また、基板ＳＢの端部にできるだけ近い位置で吸着することで、基板ＳＢが確実に持ち上げられるようにしている。
【００５６】
この状態で吸着パッド１２２を上昇させつつローラ５２１を一定速度で（−Ｙ）方向に移動させることで、剥離境界線は直線状態が維持されたまま一定速度で（−Ｙ）方向に進行する。すなわち、（−Ｙ）方向を剥離方向として剥離が進行する。有効領域ＡＲよりも外側からローラ５２１の移動を開始しているので、有効領域ＡＲ上方を通過するローラ５２１の速度は一定となっており、有効領域ＡＲ内でパターンがローラ５２１から受ける押圧力は場所によらず均一である。
【００５７】
こうして吸着パッド１２２の上昇およびローラ５２１の移動を継続し、これらが基板ＳＢ全体について剥離が完了する終了位置に到達すると（ステップＳ１０７）、これらの移動を停止するとともに、ローラ５２１および押圧部材３２１を所定の退避位置に移動させる（ステップＳ１０８）。この状態で吸着パッド１２２の吸着が解除されると、ブランケットＢＬから剥離された基板ＳＢの搬出が可能となる（ステップＳ１０９）。続いてステージ３１０による吸着が解除されると、ブランケットＢＬの搬出が可能となる（ステップＳ１１０）。これらが搬出されて、剥離処理は終了する。
【００５８】
上記した剥離処理の過程において、環状溝３１３は常時大気解放されている。ブランケットＢＬは環状溝３１３よりも外側に設けた真空吸着溝３１４によって真空吸着されているため、環状溝３１３が大気解放された状態でもブランケットＢＬの保持が失われることはない。一方、有効領域ＡＲを取り囲むように設けられた環状溝３１３を大気解放状態とすることで、次のような利点が得られる。
【００５９】
図８は環状溝および真空吸着溝の作用を説明するための図である。ステージ３１０の上面（水平面部３１１）に設けられた真空吸着溝３１４によるブランケットＢＬの吸着においては、図８（ａ）に示すように、真空吸着溝３１４に供給される負圧により、ブランケットＢＬとステージ３１０との間の微小なギャップＧに沿って気流Ｆが生じる。これによりギャップＧが負圧となってブランケットＢＬがステージ３１０に吸着保持される。
【００６０】
ここで、ステージ３１０の上面に小さな窪みがある場合を仮定する。このような窪みは、ステージ３１０の摩耗や他の部材との接触による傷などで生じ得るものである。図８（ｂ）は、ステージ３１０に大気解放された環状溝３１３を設けず真空吸着溝３１４のみを設けた比較例１を示している。この場合、同図に示すように、ブランケットＢＬとステージ３１０上面との間に生じる負圧によってステージ３１０上の窪みＤに向かってブランケットＢＬが引き込まれて部分的に撓み、当該箇所においてブランケットＢＬと基板ＳＢとの間に隙間ができてしまうことがある。すなわち、ブランケットＢＬと基板ＳＢとの意図しない局所的な剥離が生じてしまう。図では基板ＳＢとブランケットＢＬとの間に形成されたパターンＰＴが基板ＳＢ側に付着した例を示しているが、このように偶発的に発生する剥離においては、パターンＰＴが基板ＳＢ、ブランケットＢＬのいずれに付着するかは管理することができない。また剥離に伴ってパターンＰＴにせん断力が作用しパターンＰＴが破断することもあり得る。
【００６１】
これとは別に、ステージ３１０の上面が部分的に上向きに突出していたり、ステージ３１０とブランケットＢＬとの間に異物が挟まることもあり得る。このような場合でも、負圧によりブランケットＢＬがステージ３１０上面に倣わせられることで、ブランケットＢＬが撓んで局所的な剥離が生じたり、パターンＰＴに対して局所的に強い押圧力が加わることで、パターンＰＴを損傷することがある。
【００６２】
このように、もしステージ３１０の上面に例えば傷や異物の付着などの凹凸があった場合、真空吸着によってブランケットＢＬがステージ３１０上面に押し付けられると、ステージの凹凸に倣ってブランケットＢＬも撓んでしまうことがある。これにより、基板ＳＢが撓んだり、基板ＳＢとブランケットＢＬとの間に挟まれたパターンが歪んだりすることがある。いずれにしても基板ＳＢにパターンを良好に転写するという目的からは好ましくない現象である。
【００６３】
これに対して、図８（ｃ）に示す本実施形態では、ステージ３１０中央部（図において左側）から見て真空吸着溝３１４よりも内側に環状溝３１３が設けられている。環状溝３１３は例えばステージ３１０下面に設けられた開口３１９と接続されて、外部空間と連通している。したがって、ステージ３１０にブランケットＢＬが保持された状態であっても、ブランケットＢＬの下面と環状溝３１３の壁面との間に形成される間隙空間ＳＰは開口３１９を介して常に外部空間に連通している。
【００６４】
このため、図において白抜き矢印で示すように、真空吸着溝３１４に供給される負圧に起因する気流は、外部空間から開口３１９を介して環状溝３１３に流入し、さらにブランケットＢＬとステージ３１０との隙間を通って真空吸着溝３１４に流入して排出される。つまり、外部空間から環状溝３１３に外気が流入することにより、環状溝３１３よりも内側（図において左側）では、ブランケットＢＬとステージ３１０との間に負圧が生じない。
【００６５】
その結果、たとえステージ３１０に窪みＤがあったとしてもブランケットＢＬが強制的にそれに倣わされることはなく、ブランケットＢＬは水平姿勢を維持することができる。ステージ３１０の突出や付着した異物に対しても、それに倣わせるような力がブランケットＢＬに作用することはない。特に、パターンＰＴが有効に形成される有効領域ＡＲを取り囲むように環状溝３１３が設けられることで、少なくとも有効領域ＡＲ内においてはパターンＰＴの損傷を防止することができる。なお、環状溝３１３よりも内側に吸着溝を設けることは、環状溝３１３の作用を滅却することになるので好ましくない。
【００６６】
このように、本実施形態では、環状溝３１３よりも内側の領域ではブランケットＢＬがステージ３１０の上面に強く押し付けられることがない。このため、ステージ上面に凹凸があったとしてもその影響が基板ＳＢやパターンに及ぶことは回避される。すなわち、環状溝３１３は、真空吸着溝３１４に供給される負圧が有効領域ＡＲまで伝搬するのを遮断する作用を有している。
【００６７】
なお、ブランケットＢＬの下面と環状溝３１３の壁面との間に形成される間隙空間ＳＰの気圧については、外部空間の気圧すなわち大気圧と完全に一致することを要するものではない。環状溝３１３よりも内側のブランケットＢＬとステージ３１０との隙間に介在する空気が吸い出されるような大きな負圧が間隙空間ＳＰに生じなければよい。この目的のために、開口３１９の開口面積および開口３１９から環状溝３１３に至る気体の流通経路の断面積については、間隙空間ＳＰを略大気圧に維持するために十分な量の空気を環状溝３１３に供給することができるような設定とされることが好ましい。
【００６８】
また、この実施形態では、環状溝３１３が予め外部空間と連通していることから、真空吸着溝３１４に負圧が供給されるよりも前に、間隙空間ＳＰに外気を導入するための経路が形成されている。負圧がいったん有効領域ＡＲに伝搬すればブランケットＢＬと基板ＳＢとの剥離が生じてしまうから、これを確実に回避するためには、負圧の供給開始前に気体の流入経路を確保しておく必要がある。
【００６９】
上記のようなブランケットＢＬから基板ＳＢへのパターン転写においては、ブランケットＢＬに担持されたパターンを完全な形で基板ＳＢに移行させるためには剥離境界線の進行速度、つまり剥離の進行速度（ここでは「剥離速度」と称する）が一定であることが求められる。特に微細なパターンの場合やパターン形成材料の性質によっては、剥離速度が変化するときにせん断力が加わってパターンが損壊することがあるからである。版からブランケットＢＬへのパターニングについても同様である。
【００７０】
上記した剥離処理では、予め直線状に形成した剥離境界線を一定速度で進行させることが可能であり、少なくとも有効領域ＡＲ内において剥離境界線の進行速度を一定とすることで、剥離速度の変化に起因するパターンの損壊を防止することが可能となっている。
【００７１】
図９は剥離境界線と剥離速度との関係を示す図である。剥離の初期段階で特に分離のきっかけを与えることなく基板ＳＢとブランケットＢＬとを引き離した場合、図９（ａ）に比較例２として示すように、一般的には基板ＳＢの両角部から剥離が始まり、剥離境界線ＰＬは当初２箇所に形成された後にそれらが一体化し、最終的にはローラとの当接によって直線状となる。
【００７２】
また、前記した従来技術のようにブランケットを局所的に押し出したり剥離爪を挿入することによって分離のきっかけを与える構成では、図９（ｂ）に比較例３として示すように、きっかけを与えられた部分で局所的に大きな剥離領域ができ、それが次第に広がることで最終的に剥離境界線ＰＬがつながる。
【００７３】
これらの構成では、剥離の初期段階で生じる剥離境界線の形状が管理されておらず一定しない。このため基板とブランケットとの離間を一定速度で行ったとしても、局所的に生じた剥離境界線ＰＬが一体化するときに進行速度の不連続な変動があるほか、うねった剥離境界線ＰＬが直線状に変化する過程では局所的に見れば随所で速度変動が発生している（位置による速度差があるが故に剥離境界線の形状が変化する）。これがパターン損壊の原因となり得る。
【００７４】
これらの比較例でも、基板にローラを当接させることで最終的には剥離境界線を直線とすることは可能であるが、その効果を確実に得るためには、ローラとの当接位置まで剥離が進んだ時点でいったんその進行を止め、その後ローラを移動させながら剥離を行う必要がある。このときに速度変動が生じてしまうため、やはりパターン損壊の原因となる。予めローラを有効領域よりも外側で基板に当接させておけば有効領域内での損壊は防止できるが、ローラをどれだけ基板端部に近づけることができるかで有効領域のサイズが決まってしまい、構造上の制約から有効領域が狭まってしまう可能性がある。
【００７５】
これに対して、本実施形態の剥離処理では、図９（ｃ）に示すように、剥離の初期段階で剥離方向に直交する直線状の剥離境界線ＰＬを形成しており、処理が進行する過程でもその形状は変わることなく剥離方向に進行するのみである。このため、局所的にも剥離速度が終始一定に保たれ、パターンの損壊が防止される。
【００７６】
剥離の初期段階で剥離境界線ＰＬを直線状とするための本実施形態における主たる構成は、ブランケットＢＬを基板ＳＢから離間する方向に柱面状に屈曲させることであり、ローラ５２１を当接させることは剥離境界線ＰＬを直線に保ちつつ一定速度で進行させるための構成要素である。この意味において、初期段階におけるローラ５２１の位置に関わらず、本実施形態では当初より直線状の剥離境界線を生じさせることが可能である。
【００７７】
以上のように、この実施形態では、基板ＳＢ（または版）とブランケットＢＬとがパターン等を介して密着されてなる積層体を、上面が水平面となったステージ３１０に載置する。そして、積層体の下側構成物に当たるブランケットＢＬをステージ３１０により真空吸着保持しながら、積層体の上側構成物に当たる基板ＳＢを上方へ引き上げることにより、ブランケットＢＬと基板ＳＢとを剥離させる。
【００７８】
このとき、基板ＳＢおよびブランケットＢＬのパターン等が有効に形成された有効領域ＡＲよりも外側でブランケットＢＬを吸着し、有効領域ＡＲ内では吸着を行わないことで、吸着溝の窪みに倣うブランケットＢＬの局所的な撓みおよびこれに起因する基板ＳＢからの局所的な剥離を効果的に防止することができる。さらに、有効領域ＡＲよりも外側で真空吸着溝３１４よりも内側に、外部空間と連通し大気解放された環状溝３１３を設けているので、真空吸着溝３１４に供給される負圧は環状溝３１３で遮断され、有効領域ＡＲまで伝搬することがない。これにより、ステージ３１０の微小な凹凸や異物にブランケットＢＬが倣って撓むことに起因する局所的な剥離についても確実に防止することが可能となっている。
【００７９】
また、この実施形態では、剥離の初期段階において、剥離対象物である積層体の一方であるブランケットＢＬの一端部を他方の基板ＳＢから離間する方向に柱面状に屈曲させることで、両者が密着する密着領域の端部に単一かつ直線状の剥離境界線ＰＬを生じさせる。そして、剥離境界線ＰＬを直線状に維持しつつ、これを一定速度で進行させて剥離を行うことで、剥離速度の変動に伴うパターン損壊を防止しながら良好に剥離を行うことが可能となっている。
【００８０】
ブランケットＢＬを柱面状に変形させるために、この実施形態では、直線状の稜線部Ｅを有するステージ３１０の水平面部３１１に積層体を載置し、稜線部Ｅから突出した部分のブランケットＢＬを押圧部材３２１で押圧する。このとき、押圧部材３２１は稜線方向と平行に延びる広い範囲で一様にブランケットＢＬを押圧する。これにより、ブランケットＢＬが局所的に撓んでしまうことが防止され、柱面状の変形を安定して確実に生じさせることができる。
【００８１】
以上説明したように、この実施形態では、剥離処理の対象物である積層体のうちブランケットＢＬが本発明の「第１板状体」に相当し、基板ＳＢ（または版）が本発明の「第２板状体」に相当する。したがって、本実施形態におけるステージ３１０が本発明の「第１保持手段」として、また吸着パッド１２２が本発明の「第２保持手段」としてそれぞれ機能している。また、吸着パッド１２２を上昇させる昇降機構１２３が本発明の「移動手段」として機能している。
【００８２】
また、上記実施形態においては、ステージ３１０の水平面部３１１が本発明の「当接平面」に相当しており、これに設けられた環状溝３１３および真空吸着溝３１４がそれぞれ本発明の「負圧遮断用凹部」および「吸着用凹部」として機能している。また、この実施形態では開口３１９およびこれから環状溝３１３に至る流路が本発明の「気体流入部」として機能している。
【００８３】
なお、本発明は上記した実施形態に限定されるものではなく、その趣旨を逸脱しない限りにおいて上述したもの以外に種々の変更を行うことが可能である。例えば、上記実施形態では、基板ＳＢとブランケットＢＬとが重ね合わされた積層体が、ブランケットＢＬを下にして水平姿勢に載置される。しかしながら、基板およびブランケットの姿勢はこれに限定されるものではなく任意である。
【００８４】
また上記実施形態では、ステージ３１０の水平面部３１１のうち有効領域ＡＲよりも大きな平面サイズの領域を取り囲むように環状溝３１３を設け、さらにこれを取り囲むように真空吸着溝３１４を設けているが、これに限定されるものではない。例えば次のような態様であってもよい。なお、本実施形態にかかるステージ形状のいくつかの変形例を以下に例示するが、これらの変形例の説明においては、上記実施形態と同一の構成については同一符号を付して説明を省略し、その特徴部分について主に説明する。
【００８５】
図１０および図１１はステージの変形例を示す図である。図１０（ａ）に示す変形例のステージ３１０ａでは、上記実施形態では環状に形成された真空吸着溝が２つの部分に分かれている。より具体的には、ステージ３１０ａの水平面部３１１と傾斜面部３１２との間の稜線部Ｅと環状溝３１３との間に直線状の真空吸着溝３１４ａが設けられ、環状溝３１３の他の３辺を取り囲むようにコの字型の真空吸着溝３１４ｂが設けられる。この変形例では、真空吸着溝３１４ａ，３１４ｂが一体として上記実施形態の真空吸着溝３１４と同様の機能を果たす。この場合、例えば真空吸着溝３１４ａ，３１４ｂへの負圧供給経路を互いに独立させておけば、剥離の初期段階で稜線部Ｅ近傍でブランケットＢＬがステージ水平面部３１１から浮き上がり真空吸着溝３１４ａの真空が万一破壊されたとしても、他の真空吸着溝３１４ｂによる真空吸着が維持されるので、ブランケットＢＬの保持を維持することができる。同様の目的で、真空吸着溝を多条に設けてもよい。
【００８６】
また、図１０（ｂ）に示す変形例のステージ３１０ｃでは、上記変形例と同様に２つに区分された真空吸着溝３１４ｃ，３１４ｄが設けられるとともに、環状溝３１３ｃの一部がステージ３１０ｃの周縁部に向かって延長されている。この延長部３１３ｄは、ステージ３１０ｃにブランケットＢＬが載置されたときのブランケットＢＬの端部よりも外側まで延びており、環状溝３１３ｃがブランケットＢＬに覆われた状態でも当該延長部３１３ｄは外部空間に露出している。このため、延長部３１３ｄを介して環状溝３１３ｃは外部空間に連通し、環状溝３１３ｃの内部は常時大気圧となる。したがって、この変形例では、延長部３１３ｄが上記実施形態における開口３１９に代わって本発明の「気体流入部」として機能し、環状溝と連通する開口を別途設ける必要はない。
【００８７】
また、図１１（ａ）に示す変形例のステージ３１０ｅでは、上記実施形態と同様の環状溝３１３の周りに多数の真空吸着孔３１４ｅが環状溝３１３を取り囲むように配置されている。真空吸着孔３１４ｅは、ステージ３１０ｅにブランケットＢＬが載置されたときにブランケットＢＬにより覆われる位置に配置される。このような構成では、各真空吸着孔３１４ｅに負圧が供給されることでブランケットＢＬが吸着保持される。そして、環状溝３１３により、その内側の領域まで負圧が伝搬することが防止される。
【００８８】
また、図１１（ｂ）に示す変形例では、環状溝３１３が開口を通じて大気解放されるのに代えて、制御ユニットに設けられる気体供給部７０６から気体が環状溝３１３に供給される。例えば気体供給部７０６から環状溝３１３に至る気体の供給経路に圧力弁を設けて、間隙空間ＳＰ内の気圧が所定値よりも低下すると気体供給部７０６から気体が供給されて環状溝３１３に流入するような構成としてもよい。気体は空気または不活性気体（例えば窒素ガス）とすることができる。このような構成によっても、真空吸着溝３１４に供給される負圧が環状溝３１３よりも内側に伝搬することを防止して、ブランケットＢＬの変形に起因するパターン等の損壊を防止することができる。この場合、気体供給部７０６が本発明の「気体流入部」に相当することとなる。なお、外部空間に対して間隙空間ＳＰが正圧になるとブランケットＢＬを介してパターンに押圧力が加わることになるので、間隙空間ＳＰが大気圧と同程度となるように、気体の流入量が制御されることが好ましい。
【００８９】
また、上記実施形態では、基板ＳＢおよびブランケットＢＬがそれぞれ真空吸着により保持されているが、基板ＳＢの保持に関しては吸着によるもの限定されない。例えば基板の周縁部を機械爪で把持してブランケットＢＬから離間させる構成であってもよい。また上記実施形態では基板ＳＢの一端部のみ真空吸着しているが、基板全体を吸着したり、吸着パッドを基板の各所に分散配置するようにしてもよい。
【産業上の利用可能性】
【００９０】
この発明は、２枚の板状体を密着させてパターン等を転写させるパターン形成処理における剥離プロセスに適用することができるほか、このようなパターン転写を伴うものに限らず、互いに密着した２枚の板状体を良好に剥離する種々の目的に対して好適に適用可能である。
【符号の説明】
【００９１】
１２２  吸着パッド（第２保持手段）
３１０ステージ（第１保持手段）
３１１  水平面部（当接平面）
３１３  環状溝（負圧遮断用凹部）
３１４  真空吸着溝（吸着用凹部）
３１９  開口（気体流入部）
１２３  昇降機構（移動手段）
７０６  気体供給部（気体流入部）
ＢＬ  ブランケット（第１板状体）
ＳＢ  基板（第２板状体）
【図１】
2014185022.tif 000003
【図２】
2014185022.tif 000004
【図３】
2014185022.tif 000005
【図４】
2014185022.tif 000006
【図５】
2014185022.tif 000007
【図６】
2014185022.tif 000008
【図７】
2014185022.tif 000009
【図８】
2014185022.tif 000010
【図９】
2014185022.tif 000011
【図１０】
2014185022.tif 000012
【図１１】
2014185022.tif 000013